(57)【要約】【課題】樹脂製のハウジングを有する湯水混合栓装置であって、ハウジングの軸線方向の長さが短く、ハウジングを小型化できると共に、第１の吐出口と第２の吐出口がハウジングの中央部に配置された湯水混合栓装置を提供する。【解決手段】湯水混合栓は、湯水混合機構から混合湯水を、第１の吐出口４と第２の吐出口５のいずれかの吐出口から吐出させるために吐出口の切換えを行う切換え機構２０と、切換え機構２０からの混合湯水を、第１の吐出口４と第２の吐出口５に供給するための第１、第２の流路３２，３３が形成された、ハウジング内に収容された吐出流路形成部材３０備えている。吐出流路形成部材３０は、第１の流路４と第２の流路５が同心円状に形成され、かつ第１、第２の流路の入口が切換え機構３０と夫々連通し、第１、第２の流路３２，３３の出口が、樹脂製の筒状のハウジングＨの第１の吐出口４、第２の吐出口５と夫々連通する。【選択図】図３
2020041572.tif 000002
【特許請求の範囲】
【請求項１】
給湯口、給水口、第１の吐出口、第２の吐出口を有する樹脂製の筒状のハウジングと、
前記給湯口から給湯された湯と前記給水口から給水された水とを混合し、所定温度の混合湯水になす、ハウジング内に収容された湯水混合機構と、
前記湯水混合機構からの所定温度の混合湯水を、第１の吐出口と第２の吐出口のいずれかの吐出口から吐出させるために吐出口の切換えを行う、ハウジング内に収容された切換え機構と、
前記切換え機構からの混合湯水を、第１の吐出口と第２の吐出口に供給するための第１、第２の流路が形成された、ハウジング内に収容された吐出流路形成部材と、
を少なくとも備える湯水混合栓であって、
前記吐出流路形成部材は、
第１の流路と第２の流路が同心円状に形成され、かつ第１、第２の流路の入口が切換え機構と夫々連通し、第１、第２の流路の出口が、樹脂製の筒状のハウジングの第１の吐出口、第２の吐出口の吐出口と夫々連通することを特徴とする湯水混合栓。
【請求項２】
前記切換え機構が、
前記湯水混合機構からの所定温度の混合湯水が内部に供給される、切換え操作によって回動する、有底円筒状の切換え弁と、
前記切換え弁の周面の軸線方向の異なる位置に設けられた第１、第２の貫通穴と、
前記切換え弁を収容する切換え弁ハウジングと、
前記切換え弁ハウジングに、軸線方向の異なる位置であって、かつ異なる径方向に形成された第１、第２の貫通穴と、
を備え、
前記切換え弁が回動することによって、
切換え弁の第１の貫通穴と、切換え弁ハウジングの第１の貫通孔が一致した際、切換え弁の第１の貫通穴は、吐出流路形成部材の第１の流路の入口と夫々連通し、第１の流路の出口が、樹脂製の筒状のハウジングの第１の吐出口と連通し、
切換え弁の第２の貫通穴と、切換え弁ハウジングの第２の貫通孔が一致した際、切換え弁の第２の貫通穴は、吐出流路形成部材の第２の流路の入口と夫々連通し、第２の流路の出口が、樹脂製の筒状のハウジングの第２の吐出口と連通し、
前記湯水混合機構から供給される混合湯水を、有底円筒状の切換え弁から樹脂製の筒状のハウジングの第１の吐出口あるいは第２の吐出口へ供給することを特徴とする請求項１記載の湯水混合栓。
【請求項３】
前記吐出流路形成部材は、
円筒状の第１の周壁と、
前記第１の周壁と同心円状に、前記第１の周壁の内部に形成され、かつ前記第１の周壁より軸線方向の長さが短い第２の周壁と、
前記第２の周壁と同心円状に、前記第２の周壁の内部に形成され、かつ前記第２の周壁より軸線方向の長さが短い第３の周壁と、
前記第１の周壁と前記第２の周壁の底部に形成された第１の底壁部と、
前記第２の周壁と前記第３の周壁の底部に形成された第２の底壁部と、
前記第１の周壁と第２の周壁と第１の底壁部との間に形成される第１の流路と、
前記第２の周壁と第３の周壁と第２の底壁部との間に形成される第２の流路と、
を備え、
前記第１の流路と、第２の流路が、切換え弁ハウジングに形成された第１、第２の貫通穴の夫々連通することを特徴とする請求項１または請求項２記載の湯水混合栓。
【請求項４】
前記吐出流路形成部材は、
前記第３の周壁の内部に形成された第３の底壁部と、
前記第３の底面部に形成された連通孔と、
前記第３の周壁と反対方向に延設された混合室を形成する混合室形成壁部と、
前記混合室形成壁部の先端部に形成された水流入口と、
を備え、
前記樹脂製の筒状のハウジングの内周面と円筒状の第１の周壁の外周面との間に水流入路が形成され、
前記水流入路、水流入口を介して、給水口から給水された水が混合室内に流入し、湯と混合され、
第３の底壁部の連通孔を介して、切換え弁の内部に混合湯水が供給されることを特徴とする請求項３記載の湯水混合栓。
【請求項５】
前記湯水混合機構が、前記吐出流路形成部材の第３の底壁部に一端が接する、混合湯水によって温度変化に応じて伸縮作動するアクチュエータと、前記アクチュエータの他端が接し、制御弁体と、を少なくとも備え、
前記アクチュエータが、混合室形成壁部によって形成される混合室に収容されていることを特徴とする請求項４記載の湯水混合栓。
【請求項６】
第１、第２の吐出口が、ハウジングの軸線方向において、給湯口、給水口の中央位置であって、かつ軸線方向の異なる位置に配置されていることを特徴とする請求項１乃至請求項５のいずれかに記載の湯水混合栓。
【発明の詳細な説明】
【技術分野】
【０００１】
本発明は、湯水混合栓に関し、特に、樹脂製のハウジングを有する湯水混合栓に関する。
【背景技術】
【０００２】
従来から、湯水混合栓は、湯と水とを混合して、使用者が設定した所定温度の混合湯水を生成するものとして、シャワー、浴槽、洗面台用のサニタリー装備品等において広く用いられている。
【０００３】
一般的な湯水混合栓としては、湯水の混合比を調整して混合湯水の温度を変更する湯水混合機構が設けられたサーモカートリッジと、このサーモカートリッジによって所定の温度になされた混合湯水の吐出を、カラン吐出口とシャワー吐出口とに切換える切換え機構とを備える湯水混合栓装置が知られている。
前記湯水混合機構と切換え機構は、金属製のハウジング内部に収容され、この金属製のハウジングの一端部には、湯水混合機構の温度調整を行う温度調整用のレバー（ダイヤル）が設けられ、他端部にはカラン吐出口とシャワー吐出口とを切換える切換え機構の切換えレバー（ダイヤル）が設けられている。
【０００４】
このように構成された湯水混合栓装置にあっては、温度調整用のレバー（ダイヤル）によって、吐出する混合湯水の温度を所定温度に設定し、切換えレバー（ダイヤル）によって、カラン吐出口とシャワー吐出口のいずれかを選択することにより、使用者は、所望の吐出口から所定温度の混合湯水を得ることができる。
【０００５】
ところで、一般的な湯水混合栓は金属製のハウジングを有しているため、コストが嵩み、樹脂製のハウジングを有する湯水混合栓が望まれており、特許文献１では、樹脂製のハウジングを有する湯水混合栓が提案されている。
【０００６】
この特許文献１に示された湯水混合栓装置を図１０に基づいて説明する。この図１０に示すように、湯水混合栓装置５０のハウジング５１は、樹脂製の内側ハウジング５２と樹脂製の外側ハウジング５３の二重のハウジングで構成され、内側ハウジング５２内に湯水混合機構５４及び切換え機構５５が収容されている。また、湯水混合機構５４と切換え機構５５は離れて配置され、その間に空間Ｓが設けられている。
【０００７】
更に、樹脂製の内側ハウジング５２と樹脂製の外側ハウジング５３の間には、湯側および水側の供給配管５６，５７から湯水混合機構５４に到る湯側通路５８と水側通路５９の他、切換え機構５５からカラン吐出口６０に向かう混合湯水通路６１が設けられている。また、切換え機構５５からシャワー吐出口６２に向かう混合湯水通路６３が設けられている。
【先行技術文献】
【特許文献】
【０００８】
【特許文献１】特許第２８２７８０６号公報
【発明の概要】
【発明が解決しようとする課題】
【０００９】
ところで、特許文献１に示された湯水混合栓装置にあっては、前記したように、樹脂製の内側ハウジングと樹脂製の外側ハウジングを必要とするため、部品点数が多くなり、コストが嵩むという技術的課題があった。
【００１０】
また、特許文献１に示された湯水混合栓装置にあっては、樹脂製の内側ハウジングと樹脂製の外側ハウジングの間に、切換え機構からカラン吐出口とシャワー吐出口に向かう混合湯水の通路が設けられている。そのため、カラン吐出口とシャワー出口は、湯水混合栓装置の軸線方向においてずれた位置に配置されることとなる。
その結果、湯水混合栓装置のハウジングが軸線方向に長くなり、ハウジングが大型化するという技術的課題があった。
【００１１】
また、湯水混合機構と切換え機構とは離れて配置され、その間には空間が設けられているため、ハウジングが軸線方向に長くなり、ハウジングが大型化する要因になっていた。
【００１２】
更に、カラン吐出口とシャワー吐出口が、ハウジングの中央から切換え機構側に配置されるため、使用時におけるカラン吐出口とシャワー吐出口に作用する外力（使用者がカランパイプ、シャワーホースに与える外力によって作用する力）が、ハウジングの一方側に作用し、給水口と水側供給配管との接続部、また接続部近傍のハウジングが破損する虞があった。
【００１３】
本発明者らは、上記課題を解決するため、樹脂製のハウジングを有する湯水混合栓装置について、二重のハウジングを用いないこと、またハウジングの軸線方向の長さを短くすること、更に、給湯口と給水口の間に、カラン吐出口とシャワー吐出口を形成することを前提に鋭意研究した。
そして、本発明者らは、切換え機構からカラン吐出口とシャワー吐出口に向かう混合湯水の通路として、吐出流路形成部材を新たに想到し、かかる吐出流路形成部材によって、上記課題を解決できることを見出し、本発明を完成したものである。
【００１４】
本発明は、上記状況のもとなされたものであり、その目的とするところは、樹脂製のハウジングを有する湯水混合栓装置であって、ハウジングの軸線方向の長さが短く、ハウジングを小型化できると共に、カラン吐出口とシャワー吐出口がハウジングの中央部に配置された湯水混合栓装置を提供することにある。
【課題を解決するための手段】
【００１５】
上記課題を解決するための本発明にかかる湯水混合栓は、給湯口、給水口、第１の吐出口、第２の吐出口を有する樹脂製の筒状のハウジングと、前記給湯口から給湯された湯と前記給水口から給水された水とを混合し、所定温度の混合湯水になす、ハウジング内に収容された湯水混合機構と、前記湯水混合機構からの所定温度の混合湯水を、第１の吐出口と第２の吐出口のいずれかの吐出口から吐出させるために吐出口の切換えを行う、ハウジング内に収容された切換え機構と、前記切換え機構からの混合湯水を、第１の吐出口と第２の吐出口に供給するための第１、第２の流路が形成された、ハウジング内に収容された吐出流路形成部材と、を少なくとも備える湯水混合栓であって、前記吐出流路形成部材は、第１の流路と第２の流路が同心円状に形成され、かつ第１、第２の流路の入口が切換え機構と夫々連通し、第１、第２の流路の出口が、樹脂製の筒状のハウジングの第１の吐出口、第２の吐出口の吐出口と夫々連通することを特徴としている。
【００１６】
本発明にかかる湯水混合栓は、ハウジング内に吐出流路形成部材を備え、この吐出流路形成部材に、混合湯水を第１の吐出口と第２の吐出口の夫々に供給するための第１流路と第２の流路が同心円状に形成され、かつ流路の入口が切換え弁機構に連通し、流路の出口が、樹脂製の筒状のハウジングの第１の吐出口、第２の吐出口の吐出口と夫々連通している。即ち、切換え弁機構から吐出した混合湯水が、同心円状に配置された第１の流路、第２の流路を介して、筒状のハウジングの第１の吐出口、第２の吐出口の吐出口から吐出するように構成されている。
このように、第１の流路、第２の流路が同心円状に形成されているため、樹脂製のハウジングの軸線方向の長さを短くでき、ハウジングを小型化できる。
【００１７】
ここで、前記切換え機構が、前記湯水混合機構からの所定温度の混合湯水が内部に供給される、切換え操作によって回動する、有底円筒状の切換え弁と、前記切換え弁の周面の軸線方向の異なる位置に設けられた第１、第２の貫通穴と、前記切換え弁を収容する切換え弁ハウジングと、前記切換え弁ハウジングに、軸線方向の異なる位置であって、かつ異なる径方向に形成された第１、第２の貫通穴と、を備え、前記切換え弁が回動することによって、切換え弁の第１の貫通穴と、切換え弁ハウジングの第１の貫通孔が一致した際、切換え弁の第１の貫通穴は、吐出流路形成部材の第１の流路の入口と夫々連通し、第１の流路の出口が、樹脂製の筒状のハウジングの第１の吐出口と連通し、切換え弁の第２の貫通穴と、切換え弁ハウジングの第２の貫通孔が一致した際、切換え弁の第２の貫通穴は、吐出流路形成部材の第２の流路の入口と夫々連通し、第２の流路の出口が、樹脂製の筒状のハウジングの第２の吐出口と連通し、前記湯水混合機構から供給される混合湯水を、有底円筒状の切換え弁から樹脂製の筒状のハウジングの第１の吐出口あるいは第２の吐出口へ供給することが望ましい。
【００１８】
また、前記吐出流路形成部材は、円筒状の第１の周壁と、前記第１の周壁と同心円状に、前記第１の周壁の内部に形成され、かつ前記第１の周壁より軸線方向の長さが短い第２の周壁と、前記第２の周壁と同心円状に、前記第２の周壁の内部に形成され、かつ前記第２の周壁より軸線方向の長さが短い第３の周壁と、前記第１の周壁と前記第２の周壁の底部に形成された第１の底壁部と、前記第２の周壁と前記第３の周壁の底部に形成された第２の底壁部と、前記第１の周壁と第２の周壁と第１の底壁部との間に形成される第1の流路と、前記第２の周壁と第３の周壁と第２の底壁部との間に形成される第２の流路と、を備え、前記第１の流路と、第２の流路が、切換え弁ハウジングに形成された第１、第２の貫通穴の夫々連通することが望ましい。
【００１９】
更に、前記吐出流路形成部材は、前記第３の周壁の内部に形成された第３の底壁部と、前記第３の底面部に形成された連通孔と、前記第３の周壁と反対方向に延設された混合室を形成する混合室形成壁部と、前記混合室形成壁部の先端部に形成された水流入口と、を備え、前記樹脂製の筒状のハウジングの内周面と円筒状の第１の周壁の外周面との間に水流入路が形成され、前記水流入路、水流入口を介して、給水口から給水された水が混合室内に流入し、湯と混合され、第３の底壁部の連通孔を介して、切換え弁の内部に混合湯水が供給されることが望ましい。
【００２０】
このように、前記吐出流路形成部材に、水流入口、混合室形成壁部が形成されているため、混合栓機構と切換え機構を、ハウジングの軸線方向に隙間を設けることなく配置することができる。その結果、樹脂製のハウジングの軸線方向の長さを短くでき、ハウジングを小型化できる。
【００２１】
特に、前記湯水混合機構が、前記吐出流路形成部材の第３の底壁部に一端が接する、混合湯水によって温度変化に応じて伸縮作動するアクチュエータと、前記アクチュエータの他端が接する、制御弁体と、を少なくとも備え、前記アクチュエータが、混合室形成壁部によって形成される混合室に収容されていることが望ましい。
このように構成することにより、樹脂製のハウジングの軸線方向の長さをより短くでき、ハウジングを小型化できる
【００２２】
また、第１、第２の吐出口が、ハウジングの軸線方向において、給湯口、給水口の中央位置であって、かつ軸線方向の異なる位置に配置されていることができる。
このように構成することで、ハウジングの軸線方向の長さを短く、ハウジングを小型化できる。また、第１の吐出口と第２の吐出口がハウジングの中央部に配置することができるため、使用時における第１の吐出口と第２の吐出口に作用する外力（使用者がカランパイプ、シャワーホースに与える外力によって作用する力）が、給湯口、給水口に均等に作用し、作用の偏りがないため、給湯口接続部、給水口接続部等の破損を抑制することができる。
【発明の効果】
【００２３】
本発明によれば、樹脂製のハウジングを有する湯水混合栓装置であって、ハウジングが軸線方向に短く、ハウジングを小型化でき、第１の吐出口と第２の吐出口がハウジングの中央部に配置された湯水混合栓装置を得ることができる。
【図面の簡単な説明】
【００２４】
【図１】図１は本発明にかかる実施形態の正面図である。
【図２】図２は本発明にかかる実施形態の底面図である。
【図３】図３は、図１のＡ−Ａ断面図である。
【図４】図４は、図３のＢ−Ｂ断面図である。
【図５】図５は、実施形態に用いられる流路形成部材を示す図であって、（ａ）は正面図、（ｂ）は底面図である。
【図６】図６は、実施形態に用いられる流路形成部材を示す断面図であって、（ａ）はＣ−Ｃ断面図、（ｂ）はＤ−Ｄ断面図である。
【図７】図７は、実施形態に用いられる切換え弁の要部を示す概略斜視図である。
【図８】図８は、実施形態に用いられる切換え弁ハウジングを示す斜視図である。
【図９】図９は、切換え弁ハウジング内に切換え弁を収容した状態を説明するための概略斜視図である。
【図１０】図１０は、従来の湯水混合栓を示す断面図である。
【発明を実施するための形態】
【００２５】
以下、本発明の実施形態にかかる湯水混合栓を図１乃至図９に基づいて説明する。
図１、２に、この湯水混合水栓１の全体形状を示す。図１，２に示すように、湯水混合水栓１は、湯を供給する湯供給管（図示せず）が接続される給湯口２と、水を供給する水供給管（図示せず）が接続される給水口３を備えている。
また、この湯水混合水栓１は、カランの吐出パイプ（図示せず）に対して混合湯水を供給する第１の吐出口４と、シャワーホース等が取り付けられ、シャワーに対して混合湯水を供給する第２の吐出口５とを備えている。
【００２６】
前記給湯口２、給水口３は、略円筒状のハウジングＨの背面側に設けられ、第１の吐出口４は略円筒状のハウジング４の下面側に設けられ、第２の吐出口５は前記ハウジングＨの背面側に設けられている。
また、第１、第２の吐出口４，５が、ハウジングＨの軸線方向において、給湯口２、給水口３の中央位置であって、かつ径方向の異なる位置に配置されている。
この径方向の異なる位置とは、図２に示すように、第１、第２の吐出口４，５がハウジングＨの軸線を中心に、周方向に、例えば９０度ずれた位置に配置されることをいう。
【００２７】
このハウジングＨは樹脂製であり、樹脂としては耐熱性を有する樹脂であって、例えば、ＰＰＳ（ポリフェニレンサルファイド）樹脂、ＰＳＦ（ポリサルフォン）樹脂等が用いられる。
給湯口２、給水口３、第１の吐出口４、第２の吐出口５を有するハウジングＨは、成形によって形成される。
【００２８】
このように、第１、第２の吐出口４，５がハウジングＨの軸線方向において、給湯口２、給水口３の中央位置であって、かつ径方向の異なる位置に配置されている。
そのため、使用時における、第１、第２の吐出口４，５に作用する外力（使用者がカランパイプ、シャワーホースに与える外力によって作用する力）が、ハウジングを支持する湯供給管（図示せず）と給湯口２の接続部、あるいは水供給管（図示せず）と給水口３の接続部に偏って作用するのを抑制できる。
その結果、樹脂製ハウジングＨの給湯口２あるいはその近傍、あるいは給水口３あるいはその近傍のハウジングＨの破損を抑制することができる。
【００２９】
また、図示しないが、湯水混合機構１０を操作するための回転軸１１の外側に、この回転軸１１を回転させるための温度調整用のダイヤル（レバー）が設けられている。同様に切換え機構２０を操作するための回転軸２１の外側に、回転軸２１を回転させるための切換え用のダイヤル（レバー）が設けられる。
【００３０】
次に、図３、図４に基づいて湯水混合機構１０について説明する。
湯水混合機構１０は、回転軸１１を回転可能に支持するケーシング１２を有している。このケーシング１２は樹脂製であり、耐熱性を有する樹脂、例えば、ＰＰＳ（ポリフェニレンサルファイド）樹脂、ＰＳＦ（ポリサルフォン）樹脂等が用いられ、成形によって形成される。
【００３１】
このケーシング１２は、図３に示すように、全体形状として有底円筒状に形成され、前記ケーシング１２の先端部の筒壁には、給湯口２と連通し、湯がケーシング１２の内部に流入する湯流入口Ａが形成されている。
このケーシング１２の先端部の湯流入口Ａと軸方向に並列して、給水口３からの水が流入される水流入口Ｂが設けられている。この水流入口Ｂは、吐出流路形成部材３０の先端部に設けられている。
【００３２】
また、ケーシング１２の先端部には湯弁座１２ａが設けられ、吐出流路形成部材３０の先端部３０ａには水弁座３１が設けられている。また、後記する制御弁体１４の弁体１４ａには、湯弁１４ｂと水弁１４ｃが設けられている。
尚、前記Ｏリング６は、後述する制御弁体１４の弁体１４ａに接し、弁体１４ａが移動した際も、湯流入口Ａと水流入口Ｂを仕切し、湯と水が混じり合わないようになされている。
【００３３】
前記制御弁体１４の内部には、付勢体１６の一部が収容され、その付勢体１６の一端部が制御弁体１４の底部１４ｄの内面に接して配置されている。
また、前記前記制御弁体１４の底部１４ｄの外面には、前記アクチュエータ１７の一端部が接して配置されている。
このアクチュエータ１７は、図３に示すように、吐出流路形成部材３０に形成された第３の底壁部４１と、制御弁体１４の底部１４ｃの外面とに接し、支持される。
【００３４】
尚、この制御弁体１４は、耐熱性を有する樹脂、例えば、ＰＰＳ（ポリフェニレンサルファイド）樹脂、ＰＳＦ（ポリサルフォン）樹脂等により成形によって形成される。
【００３５】
また、この湯水混合機構１０は、調整ネジ軸１５を備えている。この調整ネジ軸１５は、前記回転軸１１と螺合し、前記回転軸１１の回転動作に応じて進退し、制御弁体１４の軸方向の位置を調整するものである。
この調整ネジ軸１５は、ケーシング１２に回動することなく、ケーシング１２の軸線方向に移動可能に構成されている。また、調整ネジ軸１５には螺子部１５ａが形成され、回転軸１１の螺子部１１ａと螺合している。
【００３６】
その結果、温調用ダイヤルを回転させることにより、回転軸１１の螺子部１１ａが回転し、調整ネジ軸１５を軸線方向に摺動させ、付勢体１６を介して、制御弁体１４が移動する。即ち、使用者は、温調用ダイヤルを操作することにより、所望する温度の混合水が吐出するように、制御弁体１４の位置を設定し、また変更できる。
【００３７】
また、前記付勢体１６は、ばね定数が一定の材質の素材により形成されている。この付勢体１６としては、例えば、ステンレスの製のコイルスプリングを挙げることができる。
また、アクチュエータ１７は、温度変化に応じて伸縮作動をするものである。このアクチュエータ１７としては、例えば、温度に応じてばね定数が変化する材質の素材により形成された形状記憶合金製ばね（ＳＭＡ（Shape memory alloy）ばね）やワックスエレメントを挙げることができる。
【００３８】
この制御弁体１４は付勢体１６の反発力を受けて、制御弁体１６を水弁座３０ａ側に摺動させることができ，またアクチュエータ１７の反発力を受けて、制御弁体１４を湯弁座１２ａ側に摺動させることができる。
即ち、制御弁体１４は、付勢体１６およびアクチュエータ１７から受ける荷重のバランスにより、湯弁１４ｂと湯弁座１２ａとの間隔と、水弁１４ｃと水弁座３１との間隔とを調整する。この構成により、湯水混合栓１は、湯流入口Ａから流入する湯と、水流入口Ｂから流入する水との混合比が調節される。
【００３９】
また、ケーシング１の湯流入口Ａ、水流入口Ｂ内側から切換え機構２０側に向かっては混合室Ｃが形成されている。この混合室Ｃは、吐出流路形成部材３０によって形成される。
【００４０】
次に、吐出流路形成部材３０について、図３乃至図６に基づいて説明する。
前記吐出流路形成部材３０は、混合湯水を第１の吐出口４と第２の吐出口５の夫々に供給するための第１の流路３２と第２の流路３３が、同心円状に形成されている。
そして、第１、第２の流路３２，３３の入口が、図４に示すように、切換え弁ハウジングｈに形成された貫通穴ｈ１、ｈ２と夫々連通し、第１、第２の流路の出口３４，３５が、樹脂製の筒状のハウジングＨの第１の吐出口４，第２の吐出口５と夫々連通するように構成されている。
【００４１】
具体的には、図５、図６に示すように、前記吐出流路形成部材３０には、円筒状の第１の周壁３６と同心円状に、前記第１の周壁３６の内部に形成されかつ前記第１の周壁３６より軸線方向の長さが短い第２の周壁３７とが形成されている。
また、前記第１の周壁３６と前記第２の周壁３７の底部には、第１の底壁部３８が形成されている。
【００４２】
更に、第２の周壁３７と同心円状に、前記第２の周壁３７の内部に形成されかつ前記第２の周壁３７より軸線方向の長さが短い第３の周壁３９が形成されている。
また、前記第２の周壁３７と前記第３の周壁３９の底部には、第２の底壁部４０が形成されている。
【００４３】
また、吐出流路形成部材３０には、前記第３の周壁３９の内部に第３の底壁部４１が形成され、この第３の底面部４１には、連通孔４１ａが形成されている。
また、第３の底面部４１には、前記第１〜第３の周壁３６，３７，３９と反対方向に、混合室を形成する混合室形成壁部４２が延設されている。
この第３の底面部４１と混合室形成壁部４２とにより、湯水を混合する、有底円筒状の混合室Ｃが形成される。
【００４４】
また、この混合室形成壁部３０の先端部には、水流入口Ｂと水弁座３１が設けられている。この第３の底面部４１はアクチュエータ１７の端部が接し、係止される。
第３の底面部４１の中心部に、制御弁体１４の軸部１４ｅが移動可能に案内するガイド孔４１ｂが設けられている。
【００４５】
そして、図３、４に示すように、第１の周壁３６の端部と切換え弁ハウジングｈの第１のフランジ部ｈ３と、Ｏリング７ａを介して密接させ、第２の周壁３７の端部と切換え弁ハウジングｈの第２のフランジ部ｈ４と、Ｏリング７ｂを介して密接させる。
これにより、前記第１の周壁３６と第２の周壁３７と第１の底壁部３８と、切換え弁ハウジングｈとの間に第１の流路３２が形成される。
【００４６】
また、第３の周壁３９の端部と切換え弁ハウジングｈの第３のフランジ部ｈ５と、Ｏリング７ｃを介して密接させることにより、前記第２の周壁３７と第３の周壁３９と第２の底壁部４０と切換え弁ハウジングｈとの間に第２の流路３３が形成される。
【００４７】
そして、切換え弁ハウジングｈには、図４に示すように、前記第１の流路３２に対応した第１の貫通穴ｈ１と、第２の流路３３に対応した第２の貫通穴ｈ２が形成され、前記第１の流路３２の一端と第２の流路３３の一端（入口）は、切換え弁ハウジングｈの貫通穴ｈ１、ｈ２の夫々と連通するように構成されている。
また、前記第１の流路３２の他端（第１の流路出口３４）は、第１の吐出口４と連通し、前記第２の流路３３の他端（第２の流路出口３５）は、第２の吐出口５と連通するように構成されている。
その結果、切換え弁ハウジングｈの第１の貫通穴ｈ１は、前記第１の流路３２を介して、第１の吐出口４と連通し、第２の貫通穴ｈ２は、前記第２の流路３３を介して、第１の吐出口４と連通する。
【００４８】
前記ハウジングＨの一端部は、Ｏリング７ｄを介して、切換え弁ハウジングの蓋部ｈ６によって閉塞されている。また、前記樹脂製の筒状のハウジングＨの内周面と円筒状の第１の周壁３６の外周面との間に、水流入路Ｄが形成され、給水口３から供給された水が、水流入口Ｂを介して混合室Ｃ内に流入するように構成されている。
そして、給湯口２から供給され、湯流入口Ａを介して供給された湯と、水流入口Ｂを介して供給された水が、混合室Ｃ内で混合され、更に第３の底壁部４１の連通孔４１ａを介して、切換え弁２２の内部に混合湯水が供給されるように構成されている。
【００４９】
次に切換え機構２０について、図３、図４、図７乃至図９に基づいて説明する。
この切換え機構２０は、図３、４に示すように、使用者の切換え操作によって回動する回転軸２１に装着された有底円筒状の切換え弁２２を備えている。
この切換え弁２２には、図７に示すように、その周面の軸線方向に第１の貫通穴２２ａ，第２の貫通穴２２ｂが設けられている。この第１の貫通穴２２ａ，第２の貫通穴２２ｂは、夫々２個の貫通穴が設けられている。
【００５０】
一方、この切換え弁２２が収容される切換え弁ハウジングｈには、図８に示すように、軸線方向の異なる位置であって、かつ異なる径方向に、貫通穴ｈ１、ｈ２が形成されている。この貫通穴ｈ１、ｈ２と第１の貫通穴２２ａ，第２の貫通穴２２ｂは対応する位置（高さ）に形成されている。
尚、図８は、前記切換え弁ハウジングｈの要部を示す図であって、フランジ部等は図示していない。
【００５１】
図３、４に示すように、前記切換え弁２２は、円筒状のカラー２３を介して、切換え弁ハウジングｈ内に収容される。この円筒状のカラー２３は切換え弁２２の回動摺動性の向上を図るものであるが、このカラー２３にも切換え弁ハウジングｈの貫通穴ｈ１、ｈ２と同一の位置に貫通穴が形成されている。
【００５２】
このように切換え機構２０が構成されているため、図９に示すことにより、回転軸２１を回転させることにより、切換え弁２２が回転し、切換え弁２２の第１の貫通穴２２ａがハウジングＨの第１の貫通孔ｈ１と一致すると、貫通穴２２ａと第１の貫通孔ｈ１が連通し、湯水混合水は第１の流路３２に湯水混合水が供給される。このとき、切換え弁２２の第２の貫通穴２２ｂとハウジングＨの第２の貫通孔ｈ２は一致しない（連通しない）ため、湯水混合水は第２の流路３３に湯水混合水が供給されることはない。
【００５３】
また、切換え弁２２が回転し、切換え弁２２の第２の貫通穴２２ｂがハウジングＨの第２の貫通孔ｈ２と一致すると、貫通穴２２ｂと第２の貫通孔ｈ２が連通し、湯水混合水は第２の流路３３に湯水混合水が供給される。このとき、切換え弁２２の第１の貫通穴２２ａとハウジングＨの第１の貫通孔ｈ１は一致しない（連通しない）ため、湯水混合水は第１の流路３２に湯水混合水が供給されることはない。
【００５４】
この湯水混合水栓の動作について説明する。
まず、温度調節ハンドル（図示せず）により付勢体１６の付勢量を調節することにより出湯温度を設定する。その後は、従来の湯水混合栓と同様に、アクチュエータ１７と付勢体１６によって、制御弁体１４による湯流入口Ａ、水流入口Ｂの開度調整が行われ、出湯温度が調節される。
【００５５】
ここで、湯は、給湯口２、湯流入口Ａ（湯弁１４ｂと湯弁座１２ａの間）を通り、混合室Ｃ内に流入する。一方、水は、給水口３、水流入路Ｄ、水流入口Ｂ（水弁１４ｃと水弁座３１の間）を通り、混合室Ｃ内に流入する。
そして、混合室Ｃで混合された混合湯水は、第３の底壁部４１の連通孔４１ａから切換え弁２２内に流入する。
【００５６】
次に、使用者は、回転軸２１を回転させ、第１、第２の吐出口の選択を行う。
切換え弁２２の第１の貫通穴２２ａがハウジングＨの第１の貫通孔ｈ１と一致すると、貫通穴２２ａと第１の貫通孔ｈ１が連通し、湯水混合水は、貫通穴２２ａ、第１の貫通孔ｈ１を介して、第１の流路３２に湯水混合水が供給され、第１の吐出口４から湯水混合水が吐出する。
【００５７】
また、切換え弁２２の回転によって、切換え弁２２の第２の貫通穴２２ｂがハウジングＨの第２の貫通孔ｈ２と一致すると、貫通穴２２ｂと第２の貫通孔ｈ２が連通し、湯水混合水は、貫通穴２２ｂ、第２の貫通孔ｈ２を介して、第２の流路３３に湯水混合水が供給され、第２の吐出口５から湯水混合水が吐出する。
【００５８】
上記説明したように、上記実施形態にあっては、吐出流路形成部材３０に、切換え機構からの混合湯水を第１の吐出口４と第２の吐出口５の夫々に供給するために、第１の流路３２と第２の流路３３が同心円状に形成されている。
この構成を採用したことにより、従来のように、第１の流路３２と第２の流路３３がハウジングの軸線方向に夫々形成されている場合に比べて、ハウジングの軸線方向の長さを短くすることができ、ハウジングを小型することができる。
【００５９】
また、吐出流路形成部材３０の第３の底壁部４１にアクチュエータ１７の一端部が接して配置され、第３の底壁部４１に混合室Ｃと連通する連通孔４１ａが形成されているため、湯水混合機構１０と切換え機構２０との間の距離を極力短くでき、ハウジングＨの軸線方向の長さをより短くすることができ、ハウジングを小型することができる。
【００６０】
更に、樹脂ハウジングＨにおいて、第１の吐出口４と第２の吐出口５を、ハウジングＨの軸線方向の同一位置であって、径方向にずれた位置に配置することができる。
そのため、使用時におけるカラン吐出口とシャワー吐出口に作用する外力（使用者がカランパイプ、シャワーホースに与える外力によって作用する力）が、ハウジングＨの一方側に作用することによる、ハウジングＨの破損を抑制することができる。
【符号の説明】
【００６１】
１        湯水混合水栓
２        給湯口
３        給水口
４        第１の吐出口
５        第２の吐出口
１０      湯水混合機構
１２      ケーシング
１４      制御弁体
１４ａ    弁体
１４ｂ    湯弁
１４ｃ    水弁
１６      付勢体
１７      アクチュエータ
２０      切換え機構
２２      切換え弁
２２ａ    第１の貫通穴
２２ｂ    第２の貫通穴
３０      吐出流路形成部材
３１      水弁座
３２      第１の流路
３３      第２の流路
４１      第３の底壁部
４１ａ    連通孔
４１ｂ    ガイド孔
４２      混合室形成壁部
Ａ        湯流入口
Ｂ        水流入口
Ｃ        混合室
Ｄ        水流入路    
Ｈ        ハウジング
ｈ        切換え弁ハウジング
ｈ１      第１の貫通孔
ｈ２      第２の貫通孔
【図１】
2020041572.tif 000003
【図２】
2020041572.tif 000004
【図３】
2020041572.tif 000005
【図４】
2020041572.tif 000006
【図５】
2020041572.tif 000007
【図６】
2020041572.tif 000008
【図７】
2020041572.tif 000009
【図８】
2020041572.tif 000010
【図９】
2020041572.tif 000011
【図１０】
2020041572.tif 000012